【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、１つ以上のレンズ群を含む後群より構成され、ズーミングに際して隣り合うレンズ群の間隔が変化するように３つ以上のレンズ群が移動するズームレンズであって、
前記第３レンズ群は、物体側より像側へ順に配置された、正の屈折力の第３ａ群、負の屈折力の第３ｂ群、正の屈折力の第３ｃ群から構成され、像ぶれ補正に際して、前記第３ｂ群は光軸に対して垂直方向の成分を持つ方向に移動し、
望遠端における全系の焦点距離をｆｔ、前記第３レンズ群の焦点距離をｆ３とするとき、
５．０＜ｆｔ／ｆ３＜１０．０
なる条件式を満足することを特徴とするズームレンズ。
【請求項２】
前記第３ａ群の焦点距離をｆ３ａ、前記第３ｂ群の焦点距離をｆ３ｂとするとき、
０．５＜ｆ３ａ／｜ｆ３ｂ｜＜１．２
なる条件式を満足することを特徴とする請求項１に記載のズームレンズ。
【請求項３】
前記第３ａ群の焦点距離をｆ３ａとするとき、
０．６＜ｆ３ａ／ｆ３＜１．３
なる条件式を満足することを特徴とする請求項１又は２に記載のズームレンズ。
【請求項４】
前記第３ｂ群の焦点距離をｆ３ｂとするとき、
０．６＜｜ｆ３ｂ｜／ｆ３＜１．６
なる条件式を満足することを特徴とする請求項１乃至３のいずれか１項に記載のズームレンズ。
【請求項５】
前記第３ｂ群の焦点距離をｆ３ｂ、前記第３ｃ群の焦点距離をｆ３ｃとするとき、
０．０８＜｜ｆ３ｂ｜／ｆ３ｃ＜１．４０
なる条件式を満足することを特徴とする請求項１乃至４のいずれか１項に記載のズームレンズ。
【請求項６】
広角端におけるバックフォーカスをｓｋｗとするとき、
０．９＜ｆ３／ｓｋｗ＜２．０
なる条件式を満足することを特徴とする請求項１乃至５のいずれか１項に記載のズームレンズ。
【請求項７】
前記第２レンズ群の焦点距離をｆ２、広角端におけるバックフォーカスをｓｋｗとするとき、
０．６＜｜ｆ２｜／ｓｋｗ＜２．０
なる条件式を満足することを特徴とする請求項１乃至６のいずれか１項に記載のズームレンズ。
【請求項８】
前記第２レンズ群の焦点距離をｆ２とするとき、
０．０５＜｜ｆ２｜／ｆｔ＜０．１５
なる条件式を満足することを特徴とする請求項１乃至７のいずれか１項に記載のズームレンズ。
【請求項９】
前記第１レンズ群の焦点距離をｆ１とするとき、
０．２＜ｆ１／ｆｔ＜０．８
なる条件式を満足することを特徴とする請求項１乃至８のいずれか１項に記載のズームレンズ。
【請求項１０】
望遠端におけるレンズ全長をＴＬとするとき、
０．６８＜ＴＬ／ｆｔ＜０．８５
なる条件式を満足することを特徴とする請求項１乃至９のいずれか１項に記載のズームレンズ。
【請求項１１】
前記第３ａ群は、物体側より像側へ順に配置された、正の屈折力のレンズ、正の屈折力のレンズ、負の屈折力のレンズ、開口絞り、非球面形状のレンズ面を有するレンズからなることを特徴とする請求項１乃至１０のいずれか１項に記載のズームレンズ。
【請求項１２】
前記第３ｂ群は、正の屈折力のレンズと負の屈折力のレンズを有することを特徴とする請求項１乃至１１のいずれか１項に記載のズームレンズ。
【請求項１３】
請求項１乃至１２のいずれか１項に記載のズームレンズと、該ズームレンズによって形成された像を受光する撮像素子を有することを特徴とする撮像装置。
【手続補正２】
【補正対象書類名】明細書
【補正対象項目名】全文
【補正方法】変更
【補正の内容】
【発明の詳細な説明】
【発明の名称】ズームレンズ及びそれを有する撮像装置
【技術分野】
【０００１】
本発明はズームレンズ及びそれを有する撮像装置に関し、例えばスチルカメラ、ビデオカメラ、デジタルスチルカメラ、ＴＶカメラ、監視用カメラ等の撮影光学系として好適なものである。
【背景技術】
【０００２】
近年、固体撮像素子を用いた撮像装置に用いる撮影光学系には、全系が小型でありながら高ズーム比で全ズーム範囲にわたり高い光学性能を有するズームレンズが要求されている。更に撮影時の手振れや、撮影装置の振動による像ぶれを抑制する、防振機構を備えたズームレンズであること等が要求されている。
【０００３】
これらの要望に答えるズームレンズとして、物体側から像側へ順に正、負、正、正の屈折力の第１、第２、第３、第４レンズ群より成る４群構成のズームレンズがある。この４群ズームレンズにおいて、第３レンズ群の一部のレンズ部を防振レンズ部として光軸に対して垂直方向に変移させて画像ぶれを補正するようにしたズームレンズが知られている（特許文献１，２）。
【０００４】
特許文献１ではズーミングに際して、各レンズ群が互いに異なった軌跡で移動している。そして第３レンズ群を物体側から像側へ順に、正の屈折力の第３ａレンズ成分、負の屈折力の第３ｂレンズ成分、正の屈折力の第３ｃレンズ成分より構成し、第３ｂレンズ成分で像ぶれ補正を行ったズームレンズを開示している。特許文献２ではズーミングに際して、第２、第４レンズ群が移動している。そして第３レンズ群を物体側から像側へ順に、正の屈折力の第３ａ群、負の屈折力の第３ｂ群、正の屈折力の第３ｃ群より構成し、第３ｂ群で像ぶれを補正したズームレンズを開示している。
【先行技術文献】
【特許文献】
【０００５】
【特許文献１】特開２０１１−１７００８６号公報
【特許文献２】特開２００８−２２４８９５号公報
【発明の概要】
【発明が解決しようとする課題】
【０００６】
全系が小型で高ズーム比で全ズーム範囲にわたり高い光学性能を有したズームレンズを得るにはズームレンズを構成するレンズ群の数や各レンズ群の屈折力、そしてズーミングに伴うレンズ群の移動条件等のズームタイプを適切に設定することが重要になってくる。一方、防振のために、ズームレンズの一部のレンズ部を防振レンズ部として光軸に対して垂直方向に移動し、偏心させる像ぶれ補正方法は、防振が比較的容易である。
【０００７】
しかしながら、防振レンズ部の選択が不適切であると防振レンズ部が大型化及び高重量になってくる。防振レンズ部の光学部品の重量が増加すると、それを動作させるのに大きな駆動力を持つ駆動源を採用しなければならない。この結果、駆動源を含めた光学系ユニット全体が大型化し、重量が増加してくる。また、防振レンズ部の重量が増加すると、防振動作の応答性が低下し、迅速な防振制御が困難となり、不自然な動作や、滑らかでない動作、防振動作の遅延などが発生してくる。
【０００８】
特許文献１のズームレンズでは、第３レンズ群の一部の防振レンズ部によって像ぶれの抑制を行っている。防振レンズ部は全系のなかでは比較的小型であるが、像面の大きさと比較すると防振レンズ部の有効径が大きく防振レンズ部が大型化及び高重量化する傾向があった。特許文献２のズームレンズも、第３レンズ群の一部の防振レンズ部によって像ぶれの抑制を行っている。防振レンズ部は全系のなかでは比較的小型であるが、像面の大きさに比較し、全系のレンズ全長、及び有効径が大きく、また防振レンズ部の有効径も大きく全体として大型化する傾向があった。
【０００９】
本発明は、全系が小型で、高ズーム比で、全ズーム範囲にわたり高い光学性能を有し、像ぶれ補正が容易なズームレンズを提供することを目的とする。
【課題を解決するための手段】
【００１０】
本発明のズームレンズは、物体側より像側へ順に配置された、正の屈折力の第１レンズ群、負の屈折力の第２レンズ群、正の屈折力の第３レンズ群、１つ以上のレンズ群を含む後群より構成され、ズーミングに際して隣り合うレンズ群の間隔が変化するように３つ以上のレンズ群が移動するズームレンズであって、
前記第３レンズ群は、物体側より像側へ順に配置された、正の屈折力の第３ａ群、負の屈折力の第３ｂ群、正の屈折力の第３ｃ群から構成され、像ぶれ補正に際して、前記第３ｂ群は光軸に対して垂直方向の成分を持つ方向に移動し、
望遠端における全系の焦点距離をｆｔ、前記第３レンズ群の焦点距離をｆ３とするとき、
５．０＜ｆｔ／ｆ３＜１０．０
なる条件式を満足することを特徴としている。
【発明の効果】
【００１１】
本発明によれば、全系が小型で、高ズーム比で、全ズーム範囲にわたり高い光学性能を有し、像ぶれ補正が容易なズームレンズが得られる。
【図面の簡単な説明】
【００１２】
【図１】実施例１のズームレンズの広角端におけるレンズ断面図
【図２】実施例１のズームレンズの縦収差図
【図３】実施例１のズームレンズの防振の際の横収差図
【図４】実施例２のズームレンズの広角端におけるレンズ断面図
【図５】実施例２のズームレンズの縦収差図
【図６】実施例２のズームレンズの防振の際の横収差図
【図７】実施例３のズームレンズの広角端におけるレンズ断面図
【図８】実施例３のズームレンズの縦収差図
【図９】実施例３のズームレンズの防振の際の横収差図
【図１０】実施例４のズームレンズの広角端におけるレンズ断面図
【図１１】実施例４のズームレンズの縦収差図
【図１２】実施例４のズームレンズの防振の際の横収差図
【図１３】実施例５のズームレンズの広角端におけるレンズ断面図
【図１４】実施例５のズームレンズの縦収差図
【図１５】実施例５のズームレンズの防振の際の横収差図
【図１６】本発明の撮像装置の要部概略図
【発明を実施するための形態】
【００１３】
以下、図面を用いて本発明のズームレンズ及びそれを有する撮像装置の実施例について説明する。本発明のズームレンズは、物体側より像側へ順に配置された、正の屈折力の第１レンズ群、負の屈折力の第２レンズ群、正の屈折力の第３レンズ群、１つ以上のレンズ群を含む後群より構成されている。そしてズーミングに際して隣り合うレンズ群の間隔が変化するように３つ以上のレンズ群が移動する。
【００１４】
第３レンズ群は、物体側より像側へ順に配置された、正の屈折力の第３ａ群、負の屈折力の第３ｂ群、正の屈折力の第３ｃ群から構成されている。そして像ぶれ補正に際して、第３ｂ群は光軸に対して垂直方向の成分を持つ方向に移動する。ここで、第３ｂ群は防振機能を有する防振レンズ群である。
【００１５】
図１は実施例１のズームレンズの広角端におけるレンズ断面図、図２（Ａ）、（Ｂ）、（Ｃ）は実施例１のズームレンズの無限遠物体にフォーカスしているときの広角端（短焦点距離端）、中間のズーム位置、望遠端（長焦点距離端）における収差図である。図３は実施例１の望遠端において０．３度の像ぶれ補正を行ったときの横収差図である。実施例１はズーム比３．４５、Ｆナンバー４．５０〜６．４５のズームレンズである。
【００１６】
図４は実施例２のズームレンズの広角端におけるレンズ断面図、図５（Ａ）、（Ｂ）、（Ｃ）は実施例２のズームレンズの無限遠物体にフォーカスしているときの広角端、中間のズーム位置、望遠端における収差図である。図６は実施例２の望遠端において０．３度の像ぶれ補正を行ったときの横収差図である。実施例２はズーム比３．４５、Ｆナンバー４．５０〜６．４５のズームレンズである。
【００１７】
図７は実施例３のズームレンズの広角端におけるレンズ断面図、図８（Ａ）、（Ｂ）、（Ｃ）は実施例３のズームレンズの無限遠物体にフォーカスしているときの広角端、中間のズーム位置、望遠端における収差図である。図９は実施例３の望遠端において０．３度の像ぶれ補正を行ったときの横収差図である。実施例３はズーム比３．４５、Ｆナンバー４．４６〜６．４５のズームレンズである。
【００１８】
図１０は実施例４のズームレンズの広角端におけるレンズ断面図、図１１（Ａ）、（Ｂ）、（Ｃ）は実施例４のズームレンズの無限遠物体にフォーカスしているときの広角端、中間のズーム位置、望遠端における収差図である。図１２は実施例４の望遠端において０．３度の像ぶれ補正を行ったときの横収差図である。実施例４はズーム比３．４５、Ｆナンバー４．４４〜６．４５のズームレンズである。
【００１９】
図１３は実施例５のズームレンズの広角端におけるレンズ断面図、図１４（Ａ）、（Ｂ）、（Ｃ）は実施例５のズームレンズの無限遠物体にフォーカスしているときの広角端、中間のズーム位置、望遠端における収差図である。図１５は実施例５の望遠端において０．３度の像ぶれ補正を行ったときの横収差図である。実施例５はズーム比３．４５、Ｆナンバー４．５０〜６．４５のズームレンズである。図１６は本発明のズームレンズを備えるビデオカメラ（撮像装置）の要部概略図である。
【００２０】
レンズ断面図において、Ｂ１は正の屈折力（光学的パワー＝焦点距離の逆数）の第１レンズ群、Ｂ２は負の屈折力の第２レンズ群、Ｂ３は正の屈折力の第３レンズ群、ＬＲは１つ以上のレンズ群を有する後群である。図１，図４，図１０，図１３の実施例１，２，４，５において後群ＬＲは負の屈折力の第４レンズ群Ｂ４より構成されている。図７の実施例３において後群ＬＲは負の屈折力の第４レンズ群Ｂ４と正の屈折力の第５レンズ群Ｂ５より構成されている。
【００２１】
各実施例において、レンズ群とは、ズーミングの際に変化する光軸方向に沿った間隔によって分けられるレンズ部分をいう。第３レンズ群Ｂ３は正の屈折力の第３ａ群Ｂ３ａ、負の屈折力の第３ｂ群Ｂ３ｂ、正の屈折力の第３ｃ群Ｂ３ｃより構成されている。第３ｂ群Ｂ３ｂを光軸に対して垂直方向の成分を持つ方向に移動させることで、像ぶれを補正している。即ち防振を行っている。
【００２２】
なお、防振のための移動としては光軸上のある点を回転中心とした揺動（回転移動）でも良い。光軸と垂直方向の成分を持つ方向に防振用の第３ｂ群Ｂ３ｂを移動させれば、像の面内での移動が可能となる。第４レンズ群Ｂ４は最も広い空気間隔を境に負の屈折力の第４ａ群Ｂ４ａと負の屈折力の第４ｂ群Ｂ４ｂより構成されている。
【００２３】
ＧＢは光学フィルター、フェースプレート等に相当する光学ブロックである。ＩＰは像面であり、ビデオカメラやデジタルスチルカメラの撮影光学系として使用する際にはＣＣＤセンサやＣＭＯＳセンサ等の撮像素子（光電変換素子）の撮像面が、銀塩フィルム用カメラのときはフィルム面に相当する。ＳＰは開放Ｆナンバー光束を制限する開口絞りであり、第３ａ群Ｂ３ａ中に設けている。
【００２４】
球面収差図において実線はｄ線、二点鎖線はｇ線である。非点収差図において破線はメリディオナル像面、実線はサジタル像面である。倍率色収差はｇ線によって表している。ＦｎｏはＦナンバー、ωは半画角（度）である。横収差図においては、第３ｂ群Ｂ３ｂの防振時の垂直方向の移動量が、撮像装置に０．３度のブレが発生した際の補正量に相当する量、移動させたときを示している。横収差図においてはＨＧＴに示す数値は、軸外の像高に相当し、＋７ｍｍは図の上側に相当し、−７ｍｍは図の下側に相当する。横収差図はｄ線によって表している。
【００２５】
横収差図において実線はメリディオナル方向、点線はサジタル方向である。尚、以下の各実施例において広角端と望遠端のズーム位置とは変倍用のレンズ群が機構上光軸上を移動可能な範囲の両端に位置したときのズーム位置をいう。
【００２６】
次に各実施例のレンズ構成について説明する。図１，図１０の実施例１，４のレンズ断面図において、Ｂ１は正の屈折力の第１レンズ群、Ｂ２は負の屈折力の第２レンズ群、Ｂ３は正の屈折力の第３レンズ群、Ｂ４は負の屈折力の第４レンズ群である。第３レンズ群Ｂ３は正の屈折力の第３ａ群Ｂ３ａ、負の屈折力の第３ｂ群Ｂ３ｂ、正の屈折力の第３ｃ群Ｂ３ｃより構成されている。第３ｂ群Ｂ３ｂを光軸に対して垂直方向の成分を持つ方向に移動させることで像ぶれを補正している。即ち、第３ｂ群Ｂ３ｂは防振機能を有する防振レンズ部である。
【００２７】
第４レンズ群Ｂ４は、最も広い空気間隔を境に負の屈折力の第４ａ群Ｂ４ａと負の屈折力の第４ｂ群Ｂ４ｂより構成されている。無限遠にフォーカスしているときは、広角端から望遠端へのズーミングに際して、各レンズ群が実線の矢印で示す移動軌跡で移動する。具体的には、ズーミングに際して隣り合うレンズ群の間隔が変化するように、第１レンズ群Ｂ１、第２レンズ群Ｂ２、第３レンズ群Ｂ３、第４群レンズ群Ｂ４が物体側へ移動する。
【００２８】
第４レンズ群Ｂ４を構成する第４ａ群Ｂ４ａは移動軌跡４ａ１で移動し、第４ｂ群Ｂ４ｂは移動軌跡４ｂで移動する。ここで移動軌跡４ａ１と移動軌跡４ｂは同じ軌跡である。これにより、全系が小型でありながら十分なズーム比と高い光学性能を得ている。無限遠から近距離へのフォーカシングに際して第４ａ群Ｂ４ａは矢印４ｃの如く像側へ移動する。近距離にフォーカスしているときは、広角端から望遠端へのズーミングに際して、第４ａ群Ｂ４ａが点線で示す移動軌跡４ａ２の如く物体側へ移動する。
【００２９】
図４の実施例２のズームレンズの各レンズ群の数及び各レンズ群の屈折力は実施例１と同じである。第３レンズ群Ｂ３のレンズ構成、第４レンズ群Ｂ４のレンズ構成も実施例１と同じである。実施例２はズーミングに際して第２レンズ群Ｂ２が不動である点が実施例１と異なっている。
【００３０】
実施例２では、ズーミングに際して第１レンズ群Ｂ１、第３レンズ群Ｂ３、第４レンズ群Ｂ４を移動させ、第２レンズ群Ｂ２を不動としながらも全系が小型でありながら十分なズーム比と高い光学性能を得ている。フォーカシングに関する構成は実施例１と同じである。第４レンズ群Ｂ４を構成する第４ａ群Ｂ４ａと第４ｂ群Ｂ４ｂのズーミングにおける移動条件は実施例１と同じである。
【００３１】
図７の実施例３のレンズ断面図において、Ｂ１は正の屈折力の第１レンズ群、Ｂ２は負の屈折力の第２レンズ群、Ｂ３は正の屈折力の第３レンズ群、Ｂ４は負の屈折力の第４レンズ群、Ｂ５は正の屈折力の第５レンズ群である。第３レンズ群Ｂ３のレンズ構成及び第３ｂ群Ｂ３ｂで像ぶれ補正をする構成は実施例１と同じである。第４レンズ群Ｂ４のレンズ構成及び第４ａ群Ｂ４ａでフォーカシングする構成も実施例１と同じである。第５レンズ群Ｂ５は１つの正レンズより構成されている。
【００３２】
無限遠にフォーカスしているときは、広角端から望遠端へのズーミングに際して、第１レンズ群Ｂ１乃至第４レンズ群Ｂ４が実線の矢印で示す移動軌跡で移動する。ズーミングに際して第５レンズ群Ｂ５は不動である。ズーミングに際して、第１レンズ群Ｂ１、第２レンズ群Ｂ２、第３レンズ群Ｂ３、第４レンズ群Ｂ４を光軸に沿って移動させることで全系が小型でありながら十分なズーム比と高い光学性能を得ている。フォーカシングに関する構成は実施例１と同じである。第４レンズ群Ｂ４を構成する第４ａ群Ｂ４ａと第４ｂ群Ｂ４ｂのズーミングにおける移動条件は実施例１と同じである。
【００３３】
図１３の実施例５のレンズ断面図において、Ｂ１は正の屈折力の第１レンズ群、Ｂ２は負の屈折力の第２レンズ群、Ｂ３は正の屈折力の第３レンズ群、Ｂ４は負の屈折力の第４レンズ群である。第３レンズ群Ｂ３のレンズ構成及び第３ｂ群Ｂ３ｂで像ぶれ補正をする構成は実施例１と同じである。第４レンズ群Ｂ４は最も広い空気間隔を境に負の屈折力の第４ａ群Ｂ４ａと正の屈折力の第４ｂ群Ｂ４ｂより構成されている。
【００３４】
即ち、ズーミングに際して隣り合うレンズ群の間隔が変化するように、第１レンズ群Ｂ１、第２レンズ群Ｂ２、第３レンズ群Ｂ３、第４レンズ群Ｂ４が移動する。これにより全系が小型でありながら十分なズーム比と高い光学性能を得ている。フォーカシングに関する構成は実施例１と同じである。第４レンズ群Ｂ４を構成する第４ａ群Ｂ４ａと第４ｂ群Ｂ４ｂのズーミングにおける移動条件は実施例１と同じである。
【００３５】
本発明のズームレンズは、全系が小型でありながら十分なズーム比を確保しつつ、諸収差の補正を良好に行うために、物体側から像側へ順に、正の屈折力の第１レンズ群、負の屈折力の第２レンズ群、正の屈折力の第３レンズ群と１つ以上のレンズ群を含む後群より構成される。第３レンズ群Ｂ３を構成する一部のレンズ部で像ぶれ補正（防振）を行うことで、高い光学性能でありながら、像ぶれ補正用のレンズ部の小型化及び全系の小型化を図っている。
【００３６】
第３レンズ群Ｂ３の最も物体側に正の屈折力の第３ａ群Ｂ３ａを配置して、第３ａ群Ｂ３ａより像側の軸上光束を収斂させて入射高さを低くし、軸外光線の入射高さも低くしている。このとき、第３ａ群Ｂ３ａの像側のレンズ部が全系のなかで、レンズ有効径が比較的小さくなる。
【００３７】
そこで、第３ａ群Ｂ３ａより像側の第３ｂ群Ｂ３ｂを像ぶれ補正のため光軸に対して垂直方向の成分を持つ方向に移動させるようにして、像ぶれ補正用のレンズ部の小型化を図っている。また、第３ｂ群Ｂ３ｂを負の屈折力とし、第３ｂ群Ｂ３ｂの像側に正の屈折力の第３ｃ群Ｂ３ｃを配置して、第３ｂ群Ｂ３ｂの負の屈折力を像ぶれ補正に適した所望の値に設定し易くしながら、収差補正を良好に行っている。
【００３８】
以上のように本発明のズームレンズは、第３レンズＢ３を全体として、物体側より像側へ順に、正の屈折力の第３ａ群Ｂ３ａ、負の屈折力を有する第３ｂ群Ｂ３ｂ、正の屈折力の第３ｃ群Ｂ３ｃで構成している。これにより、第３レンズ群Ｂ３内は収斂レンズ部と発散レンズ部を組みあわせた対称的な屈折力配置となり、特にズーミングに伴う収差変動を効果的に抑制している。そしてズーミングに際して少なくとも３つのレンズ群が光軸上を移動することで、全系の小型化と高ズーム比化を図っている。
【００３９】
各実施例において、第３レンズ群Ｂ３の焦点距離をｆ３、望遠端における全系の焦点距離をｆｔとするとき、以下の条件式（１）を満足している。
５．０＜ｆｔ／ｆ３＜１０．０      ・・・（１）
【００４０】
条件式（１）は、第３レンズ群Ｂ３の焦点距離に対する望遠端における全系の焦点距離の比を適切に定めるものである。条件式（１）の上限を超えて、第３レンズ群Ｂ３の焦点距離が小さくなると、所望の防振効果や変倍効果が容易に得られるが、望遠端において球面収差が増大し、この補正が困難となる。条件式（１）の下限を超えて、第３レンズ群Ｂ３の焦点距離が大きくなると、第３レンズ群Ｂ３での光線を収斂させる効果が少なくなり、第３ｂ群Ｂ３ｂの有効径が大型化し、防振用の第３ｂ群Ｂ３ｂの小型化が困難になる。
【００４１】
以上のように本発明によれば、防振用の第３ｂ群Ｂ３ｂが小型、軽量であり、かつ全系が小型かつ高性能で十分なズーム比を有するズームレンズが得られる。これによってメカ機構を含む全系を小型化しながら防振機能を兼ね備える撮像装置が容易に得られる。各実施例において更に好ましくは次の条件式のうち１つ以上を満足するのが良い。
【００４２】
第３ａ群Ｂ３ａの焦点距離をｆ３ａ、第３ｂ群Ｂ３ｂの焦点距離をｆ３ｂ、第３ｃ群Ｂ３ｃの焦点距離をｆ３ｃとする。第１レンズ群Ｂ１の焦点距離をｆ１、第２レンズ群Ｂ２の焦点距離をｆ２とする。広角端におけるバックフォーカスをｓｋｗとする。望遠端におけるレンズ全長をＴＬとする。ここでレンズ全長は第１レンズ面から最終レンズ面までの距離にバックフォーカス（最終レンズ面から像面までの空気換算での距離）を加えたものである。このとき、次の条件式のうち１つ以上を満足するのが良い。
【００４３】
０．５＜ｆ３ａ／｜ｆ３ｂ｜＜１．２        ・・・（２）
０．６＜ｆ３ａ／ｆ３＜１．３              ・・・（３）
０．６＜｜ｆ３ｂ｜／ｆ３＜１．６          ・・・（４）
０．０８＜｜ｆ３ｂ｜／ｆ３ｃ＜１．４０    ・・・（５）
０．９＜ｆ３／ｓｋｗ＜２．０              ・・・（６）
０．６＜｜ｆ２｜／ｓｋｗ＜２．０          ・・・（７）
０．０５＜｜ｆ２｜／ｆｔ＜０．１５        ・・・（８）
０．２＜ｆ１／ｆｔ＜０．８                ・・・（９）
０．６８＜ＴＬ／ｆｔ＜０．８５            ・・・（１０）
【００４４】
次に前述の各条件式の技術的意味について説明する。条件式（２）は、防振用の第３ｂ群Ｂ３ｂの焦点距離に対する第３ａ群Ｂ３ａの焦点距離の比を適切に定めるものである。条件式（２）の上限を超えて、第３ａ群Ｂ３ａの焦点距離が大きくなりすぎると、第３ａ群Ｂ３ａによって光線を収斂させる効果が少なくなり、第３ｂ群Ｂ３ｂの有効径が大型化し好ましくない。条件式（２）の下限を超えて、第３ａ群Ｂ３ａの焦点距離が小さくなりすぎると、光線を収斂させる効果は増大するが、望遠端において球面収差が増大し、この補正が困難となる。
【００４５】
条件式（３）は第３レンズ群Ｂ３の焦点距離に対する第３ａ群Ｂ３ａの焦点距離の比を適切に定めたものである。条件式（３）の上限を超えて、第３レンズ群Ｂ３の焦点距離が小さくなりすぎると、望遠端において球面収差が増大し、この抑制が困難となる。条件式（３）の下限を超えて、第３レンズ群Ｂ３の焦点距離が大きくなりすぎると、所望の変倍作用を得るのが難しくなり、ズーミングに際しての移動レンズ群の移動量が増大し、全系が大型化してくるので良くない。
【００４６】
条件式（４）は第３レンズ群Ｂ３の焦点距離に対する防振用の第３ｂ群Ｂ３ｂの焦点距離の比を適切に定めたものである。条件式（４）の上限を超えて、第３ｂ群Ｂ３ｂの焦点距離の絶対値が大きくなりすぎると、防振用のレンズ部としての効果が少なくなり、防振時の第３ｂ群Ｂ３ｂの移動量が大きくなり、第３ｂ群Ｂ３ｂが大型化してくるので良くない。条件式（４）の下限を超えて、第３ｂ群Ｂ３ｂの焦点距離の絶対値が小さくなりすぎると、防振用のレンズ部としての効果は増加するが、防振時において像面湾曲等の諸収差の変動が大きくなり好ましくない。
【００４７】
条件式（５）は防振用の第３ｂ群Ｂ３ｂと第３ｃ群Ｂ３ｃの焦点距離の比を適切に定めたものである。条件式（５）の上限を超えて、第３ｃ群Ｂ３ｃの焦点距離の絶対値が小さくなりすぎると、ズーミングにおける軸上色収差の変動が大きくなる。これを補正するためには、第３ｃ群Ｂ３ｃのレンズ枚数を増加させなければならず、全系の小型化が困難になる。条件式（５）の下限を超えて、第３ｂ群Ｂ３ｂの焦点距離が小さくなりすぎると、防振に際しての効果は増大するが、防振時の像面湾曲等の諸収差の変動が大きくなり好ましくない。
【００４８】
条件式（６）は第３レンズ群Ｂ３の焦点距離と広角端におけるバックフォーカスとの比を適切に定めたものである。条件式（６）の上限を超えて、第３レンズ群Ｂ３の焦点距離が大きくなりすぎると、ズーミングに際して球面収差や像面湾曲の変動が大きくなり、これらの収差の補正が困難となる。条件式（６）の下限を超えて、バックフォーカスが大きくなりすぎると、全系の小型化が困難になる。
【００４９】
条件式（７）は第２レンズ群Ｂ２の焦点距離と広角端におけるバックフォーカスとの比を適切に定めたものである。条件式（７）の上限を超えて、第２レンズ群Ｂ２の焦点距離の絶対値が大きくなりすぎると、所望の変倍効果を得るのが難しくなり、ズーミングに際しての移動レンズ群の移動量を増加させなければならず、全系の小型化が困難になる。条件式（７）の下限を超えて、第２レンズ群Ｂ２の焦点距離の絶対値が小さくなりすぎると、ズーミングに際して像面湾曲の変動が増大し、また広角端において歪曲収差が増大し、この補正が困難となる。
【００５０】
条件式（８）は第２レンズ群Ｂ２の焦点距離と望遠端における全系の焦点距離との比を適切に定めたものである。条件式（８）の上限を超えて、第２レンズ群Ｂ２の焦点距離の絶対値が大きくなりすぎると、所望のズーム比を得るのが困難となり、高ズーム比化を図るにはレンズ全長を長くしなければならず、全系の小型化が困難になる。条件式（８）の下限を超えて、第２レンズ群Ｂ２の焦点距離の絶対値が小さくなりすぎると、ズーミングに際しての像面湾曲の変動が大きくなり、また広角端において歪曲収差が増大し、この補正が困難となる。
【００５１】
条件式（９）は第１レンズ群Ｂ１の焦点距離と望遠端における全系の焦点距離との比を適切に定めたものである。条件式（９）の上限を超えて、第１レンズ群Ｂ１の焦点距離が大きくなりすぎると、所望の全系焦点距離を得難くなり、全長を長くしなければならず全系の小型化が困難になる。条件式（９）の下限を超えて、第１レンズ群Ｂ１の焦点距離が小さくなりすぎると、望遠端において軸上色収差や球面収差が増大し、これらの諸収差の補正が困難となる。
【００５２】
条件式（１０）は望遠端におけるレンズ全長と望遠端における全系の焦点距離との比を適切に定めたものである。条件式（１０）の範囲を外れると全系の小型化が困難になる。更に好ましくは条件式（１ａ）乃至（１０ａ）の数値範囲を次の如く設定するのが良い。
【００５３】
５．５＜ｆｔ／ｆ３＜９．０              ・・・（１ａ）
０．６５＜ｆ３ａ／｜ｆ３ｂ｜＜１．０    ・・・（２ａ）
０．７５＜ｆ３ａ／ｆ３＜１．００        ・・・（３ａ）
０．８＜｜ｆ３ｂ｜／ｆ３＜１．３        ・・・（４ａ）
１．００＜｜ｆ３ｂ｜／ｆ３ｃ＜１．３５  ・・・（５ａ）
１．１０＜ｆ３／ｓｋｗ＜１．８０        ・・・（６ａ）
１．０＜｜ｆ２｜／ｓｋｗ＜１．５        ・・・（７ａ）
０．０８＜｜ｆ２｜／ｆｔ＜０．１４      ・・・（８ａ）
０．３＜ｆ１／ｆｔ＜０．６              ・・・（９ａ）
０．７＜ＴＬ／ｆｔ＜０．８              ・・・（１０ａ）
更に好ましくは条件式（１）乃至（１０）の数値範囲を次の如く設定するのが良い。
【００５４】
６．８＜ｆｔ／ｆ３＜７．９              ・・・（１ｂ）
０．７２＜ｆ３ａ／｜ｆ３ｂ｜＜０．８７  ・・・（２ｂ）
０．８６＜ｆ３ａ／ｆ３＜０．９１        ・・・（３ｂ）
１．０２＜｜ｆ３ｂ｜／ｆ３＜１．２０    ・・・（４ｂ）
１．１８＜｜ｆ３ｂ｜／ｆ３ｃ＜１．３２  ・・・（５ｂ）
１．４１＜ｆ３／ｓｋｗ＜１．６２        ・・・（６ｂ）
１．２＜｜ｆ２｜／ｓｋｗ＜１．４        ・・・（７ｂ）
０．１０＜｜ｆ２｜／ｆｔ＜０．１４      ・・・（８ｂ）
０．４４＜ｆ１／ｆｔ＜０．５０          ・・・（９ｂ）
０．７１＜ＴＬ／ｆｔ＜０．７７          ・・・（１０ｂ）
【００５５】
以上のように各実施例では、各レンズ群のレンズ構成、屈折力配置による変倍負担を適切に設定することにより、広画角でありながら、高い結像性能を有すズームレンズを得ている。
【００５６】
各実施例において、好ましくはズーミングに際しては、少なくとも３つのレンズ群が光軸上を移動することが好ましい。特に第１レンズ群Ｂ１を移動させるのが良く、これによればズーミングに際しての収差変動を良好に補正することが容易となる。しかも第１レンズ群Ｂ１をズーミングに際しての軸外光線の入射高さに合わせた最小のレンズ有効径とすることができるため、第１レンズ群Ｂ１の小型化が容易となる。
【００５７】
また、ズーミングに際して第３レンズ群Ｂ３を含む、少なくとも３つのレンズ群が光軸上を移動することが好ましい。特に開口絞りＳＰを含む第３レンズ群Ｂ３を移動させることで、周辺光量を適切に確保しながら第３ｂ群Ｂ３ｂの有効径を最小とすることが容易となる。
【００５８】
また、ズーミングに際して全てのレンズ群が移動するのが良く、これによれば全系の小型化と良好な収差補正が容易になる。また広角端から望遠端へのズーミングに際して全てのレンズ群が物体側へのみ移動するのが良い。これによればメカ機構等が簡易となり製造誤差等の影響を受けづらくなるため、高画質の維持のために良い。また、防振機能を有する第３ｂ群Ｂ３ｂは、正の屈折力を有するレンズ（正レンズ）と負の屈折力を有するレンズ（負レンズ）を少なくとも１枚ずつ備えることが良い。
【００５９】
これによれば防振時の色収差の補正を良好に行うことが容易になる。また防振の際の偏心収差の発生を少なくすることが容易になる。更に第３ｂ群Ｂ３ｂの小型化が容易になる。また、第３レンズ群Ｂ３よりも像側に配置される１つ以上のレンズ群を有する後群は、合成で負の屈折力とするのが良い。これによれば射出瞳を任意の距離に短くしやすく、レンズ全長を短くするのが容易になる。
【００６０】
各実施例においては、第３ａ群Ｂ３ａ内の像側寄りに開口絞りＳＰを配置することが好ましい。第３ｂ群Ｂ３ｂ側に開口絞りＳＰを配置すると、軸外光線の入射高さが第３ｂ群Ｂ３ｂ近傍で低くなることから第３ｂ群Ｂ３ｂの有効径を小さくすることが容易となり、防振用の第３ｂ群Ｂ３ｂの小型化が容易になる。第３ａ群Ｂ３ａによる軸上光線の収斂効果を高めつつ、球面収差の補正を良好に行うためには、第３ａ群Ｂ３ａを物体より像側へ順に、正レンズ、正レンズ、負レンズ、開口絞りＳＰで構成する。更に最も像側に非球面形状のレンズ面を有するレンズを配置することが良い。
【００６１】
第３ａ群Ｂ３ａの物体側に強い正の屈折力を持つ正レンズを配置することで軸上光線の収斂効果を高くすることが容易となり、開口絞りＳＰを第３ａ群Ｂ３ａの像側へ配置する。これにより、第３ｂ群Ｂ３ｂ側で軸外光線の入射高さを低くし、第３ｂ群Ｂ３ｂの小型化が容易になる。さらに開口絞りＳＰ近傍の位置は、軸上光線の入射高さ自体が高く、かつ軸外光線の入射高さも近くなり略同位置を通過する。このため、そこへ非球面を有するレンズを配置することで軸上光線による球面収差と軸外光線によるコマ収差を同時に良好に補正するこが容易になる。
【００６２】
なお、各実施例は、物体側より像側へ順に、正、負、正の屈折力の第１レンズ群Ｂ１乃至第３レンズ群Ｂ３を配置している。そして第３レンズ群Ｂ３よりも像側に負の屈折力のレンズ群、または順に負の屈折力のレンズ群と、正の屈折力のレンズ群を配置しているが、第３レンズ群Ｂ３より像側の構成についてはこれに限られず任意のレンズ構成でも良い。各実施例では第４レンズ群Ｂ４は、物体側に強い負の屈折力を持つ第４ａ群Ｂ４ａを備え、これを像側へ移動させることで無限遠から近距離へのフォーカシングを行っているが、第１レンズ群Ｂ１など他のレンズ群でフォーカシングを行っても良い。
【００６３】
図１６において２０はカメラ本体、２１は実施例１乃至５に説明したいずれか１つのズームレンズによって構成された撮影光学系である。２２はカメラ本体に内蔵され、撮影光学系２１によって形成された被写体像を受光するＣＣＤセンサやＣＭＯＳセンサ等の撮像素子（光電変換素子）である。尚、各実施例のズームレンズはクイックリターンミラーのある一眼レフカメラやクイックリターンミラーのないミラーレスの一眼レフカメラにも適用できる。
【００６４】
以下に、実施例１〜５に各々対応する数値実施例１〜５を示す。各数値実施例において、ｉは物体側からの面の順番を示し、ｒｉは第ｉ番目（第ｉ面）の曲率半径、ｄｉは第ｉ面＋１面との間の間隔、ｎｄｉ、νｄｉはそれぞれｄ線を基準とした第ｉ番目の光学部材の材料の屈折率、アッベ数を示す。また、数値実施例１〜５では最も像側の２つの面は光学ブロックに相当する平面である。非球面形状は光軸からの高さＨの位置での光軸方向の変位を面頂点を基準にしてＸとする。光の進行方向を正としＲを近軸曲率半径、Ｋを円錐定数、Ａ４，Ａ６，Ａ８，Ａ１０，Ａ１２を各々非球面係数とする。このとき
【００６５】
【数１】
2014219616.tif 000001
【００６６】
なる式で表している。*は非球面形状を有する面を意味している。「ｅ−ｘ」は１０-xを意味している。半画角は光線追跡値による半画角を示す。ＢＦはバックフォーカスであり、撮像面側のセンサのフェースプレートやローパスフィルター等のガラスブロックを除いた最終レンズ面から結像面位置までの空気換算距離である。前述の各条件式と数値実施例における諸数値との関係を表１に示す。 
【００６７】
［実施例１］
単位 mm
面データ
面番号       r        d      nd         νd
1         47.579    3.00   1.48749    70.2           
2        187.623    0.20                             
3         72.401    1.50   1.80610    40.9           
4         32.025    5.20   1.48749    70.2           
5       -270.270  (可変)                             
6       -108.486    0.90   1.72000    50.2           
7         16.905    2.70   1.84666    23.9           
8         41.931    2.01                             
9        -34.559    0.90   1.77250    49.6           
10        270.270  (可変)                             
11         21.716    3.60   1.66672    48.3           
12       -147.608    1.90                             
13         16.044    5.00   1.49700    81.5           
14        -65.374    0.90   1.84666    23.9           
15         32.233    2.90                             
16(絞り)    ∞       3.10                             
17*        98.001    2.20   1.58313    59.4           
18*      5000.000    3.50                             
19        -74.987    1.50   1.80610    33.3           
20        -18.582    0.60   1.69350    53.2           
21         24.830    3.00                             
22         18.004    2.80   1.48749    70.2           
23        -32.642  (可変)                             
24        258.313    0.60   1.69680    55.5           
25         11.294    2.00   1.54072    47.2           
26         29.836   12.62                             
27        -28.543    3.30   1.76200    40.1           
28        -13.619    1.00   1.51633    64.1           
29        -72.548  (可変)                             
30          ∞       1.50   1.54400    60.0           
31          ∞       1.73                             
像面        ∞   
【００６８】
非球面データ
第17面
K  = 0.00000e+000  A 4=-7.46980e-005  A 6= 6.83135e-007 
A 8= 6.66992e-009  A10=-5.06108e-011  A12=-9.57784e-014  
第18面
K  = 0.00000e+000  A 4= 4.14298e-005  A 6= 1.13094e-006 
A 8= 6.67895e-009  
各種データ
ズーム比     3.45 
広角     中間     望遠
焦点距離      56.60   134.00   195.00  
Fナンバー      4.50     5.70     6.45  
半画角（度）  13.57     5.82     4.01  
像高          13.66    13.66    13.66  
レンズ全長   103.39   130.12   144.77  
BF            17.70    28.38    40.78  
d 5            1.40    26.09    34.14  
d10           15.35     4.17     0.80  
d23            2.00     4.54     2.10  
d29           15.00    25.68    38.08  
ズームレンズ群データ
群  始面    焦点距離  
1    1      93.52  
2    6     -21.90  
3   11      26.02  
4a  24     -33.93  
4b  27   -4057.03  
【００６９】
［数値実施例２］
単位 mm
面データ
面番号       r        d      nd         νd
1         48.119    3.00   1.48749    70.2           
2        201.498    0.20                             
3         71.951    1.50   1.80610    40.9           
4         31.860    5.20   1.48749    70.2           
5       -285.518  (可変)                             
6        -92.574    0.90   1.72000    50.2           
7         18.111    2.70   1.84666    23.9           
8         46.952    1.80                             
9        -45.312    0.90   1.77250    49.6           
10        210.852  (可変)                             
11         21.200    3.60   1.66672    48.3           
12       -322.417    1.90                             
13         16.414    5.00   1.49700    81.5           
14        -83.325    0.90   1.84666    23.9           
15         28.101    2.90                             
16(絞り)    ∞       3.10                             
17*       107.117    2.20   1.58313    59.4           
18*      5000.000    3.50                             
19        -62.876    1.50   1.80610    33.3           
20        -17.814    0.60   1.69350    53.2           
21         25.410    3.02                             
22         18.605    2.80   1.48749    70.2           
23        -29.243  (可変)                             
24        783.879    0.60   1.69680    55.5           
25         11.627    2.00   1.54072    47.2           
26         33.610   13.36                            
27        -36.199    3.30   1.76200    40.1           
28        -14.492    1.00   1.51633    64.1           
29       -221.311  (可変)                             
30          ∞       1.50   1.54400    60.0           
31          ∞       1.78                            
像面        ∞   
【００７０】
非球面データ
第17面
K  = 0.00000e+000  A 4=-2.53570e-005  A 6= 4.03139e-007 
A 8= 1.22767e-008  A10=-1.35636e-010  A12= 4.42450e-013  
第18面
K  = 0.00000e+000  A 4= 8.91706e-005  A 6= 8.53290e-007 
A 8= 1.09231e-008  
各種データ
ズーム比     3.45 
広角     中間     望遠
焦点距離      56.58   135.17   195.00  
Fナンバー      4.50     6.15     6.45  
半画角（度）  13.57     5.77     4.01  
像高          13.66    13.66    13.66  
レンズ全長   109.34   131.70   141.69  
BF            17.75    30.08    37.43  
d 5            1.53    23.89    33.88  
d10           20.58     5.87     0.80  
d23            2.00     4.38     2.10  
d29           15.00    27.33    34.68  
ズームレンズ群データ
群  始面    焦点距離  
1    1      93.61  
2    6     -24.71  
3   11      28.18  
4a  24     -34.63  
4b  27   -1000.00  
【００７１】
［数値実施例３］
単位 mm
面データ
面番号       r        d      nd         νd
1         48.766    3.00   1.51633    64.1           
2        212.962    0.20                             
3         70.883    1.50   1.80400    46.6           
4         31.184    5.20   1.49700    81.5           
5       -375.597  (可変)                             
6       -138.738    0.90   1.69680    55.5           
7         16.208    2.70   1.84666    23.8           
8         36.944    2.05                             
9        -36.879    0.90   1.83400    37.2           
10        199.896  (可変)                             
11         24.320    3.60   1.80610    33.3           
12       -227.270    1.90                             
13         14.148    5.00   1.49700    81.5           
14       -347.930    0.90   1.92286    18.9           
15         25.659    2.90                             
16(絞り)    ∞       3.10                             
17*       142.182    2.20   1.85400    40.4           
18*      5000.000    3.50                             
19       -102.959    1.50   1.92286    18.9           
20        -29.036    0.60   1.74950    35.3           
21         23.182    3.00                             
22         15.754    2.80   1.49700    81.5           
23        -42.810  (可変)                             
24        354.884    0.60   1.80610    40.9           
25         11.854    2.00   1.51823    58.9           
26         35.655   10.51                            
27        -31.777    3.30   2.00100    29.1           
28        -14.648    1.00   1.60311    60.6           
29       -333.333  (可変)                             
30       -199.416    2.00   1.84666    23.8           
31        -54.977   15.00                             
32          ∞       1.50   1.54400    60.0           
33          ∞       1.73                             
像面        ∞   
【００７２】
非球面データ
第17面
K  = 0.00000e+000  A 4=-4.63820e-005  A 6= 1.13035e-006 
A 8= 6.99966e-009  A10=-3.11259e-011  A12=-6.86937e-013  
第18面
K  = 0.00000e+000  A 4= 4.72363e-005  A 6= 1.54569e-006 
A 8= 9.36013e-009  
各種データ
ズーム比     3.45 
広角     中間     望遠
焦点距離      56.60   136.00   195.00  
Fナンバー      4.46     5.63     6.45  
半画角（度）  13.57     5.74     4.01  
像高          13.66    13.66    13.66  
レンズ全長   103.39   131.62   145.39  
BF            17.70    17.70    17.70  
d 5            1.33    25.77    32.43  
d10           14.51     4.23     0.80  
d23            2.00     3.94     2.62  
d29            1.00    13.12    24.99  
ズームレンズ群データ
群  始面    焦点距離  
1    1      90.39  
2    6     -21.56  
3   11      25.05  
4a  24     -27.07  
4b  27    -980.27  
5   30      89.08
【００７３】
［数値実施例４］
単位 mm
面データ
面番号       r        d      nd         νd
1         47.999    3.00   1.51633    64.1           
2        199.205    0.20                             
3         79.213    1.50   1.80400    46.6           
4         32.093    5.20   1.49700    81.5           
5       -264.415  (可変)                             
6       -114.148    0.90   1.71300    53.9           
7         17.305    2.70   1.84666    23.8           
8         45.783    2.21                             
9        -37.834    0.90   1.83400    37.2           
10        207.695  (可変)                             
11         22.376    3.60   1.80610    33.3           
12      -1211.448    1.90                             
13         15.765    5.00   1.49700    81.5           
14       -118.529    0.90   1.92286    18.9           
15         24.712    2.90                             
16(絞り)    ∞       3.10                             
17*        81.614    2.20   1.85400    40.4           
18*      5000.000    3.50                             
19      -1110.863    0.60   1.91082    35.3           
20         15.810    1.70   1.92286    18.9           
21         28.812    3.00                             
22         18.361    2.80   1.49700    81.5           
23        -32.586  (可変)                             
24         27.025    2.00   1.80809    22.8           
25        -44.006    0.60   2.00330    28.3           
26         17.052   11.54                             
27        -22.892    3.30   2.00100    29.1           
28        -13.107    1.00   1.60311    60.6           
29        -63.930  (可変)                             
30          ∞       1.50   1.54400    60.0           
31          ∞       1.73                             
像面        ∞   
【００７４】
非球面データ
第17面
K  = 0.00000e+000  A 4=-6.58448e-005  A 6= 4.20856e-007 
A 8= 8.60004e-009  A10= 3.74105e-012  A12=-5.30209e-013  
第18面
K  = 0.00000e+000  A 4= 7.52431e-006  A 6= 6.99599e-007 
A 8= 1.00569e-008  
各種データ
ズーム比     3.45 
広角     中間     望遠
焦点距離      56.60   136.00   195.00  
Fナンバー      4.44     5.73     6.45  
半画角（度）  13.57     5.74     4.01  
像高          13.66    13.66    13.66  
レンズ全長   103.39   132.71   143.37  
BF            17.70    32.64    41.48  
d 5            1.36    25.98    32.73  
d10           16.08     5.54     0.80  
d23            2.00     2.29     2.10  
d29           15.00    29.95    38.78  
ズームレンズ群データ
群  始面    焦点距離  
1    1      93.59  
2    6     -22.65  
3   11      26.44  
4a  24     -32.44  
4b  27    -1000.00  
【００７５】
［数値実施例５］
単位 mm
面データ
面番号       r        d      nd         νd
1         47.892    3.00   1.48749    70.2           
2        194.405    0.20                             
3         71.819    1.50   1.80610    40.9           
4         32.118    5.20   1.48749    70.2           
5       -273.637  (可変)                             
6       -117.859    0.90   1.72000    50.2           
7         16.693    2.70   1.84666    23.9           
8         40.553    2.08                             
9        -32.797    0.90   1.77250    49.6           
10        321.397  (可変)                             
11         21.917    3.60   1.66672    48.3           
12       -137.271    1.90                             
13         15.585    5.00   1.49700    81.5           
14        -73.772    0.90   1.84666    23.9           
15         30.304    2.90                             
16(絞り)    ∞       3.10                             
17*        89.177    2.20   1.58313    59.4           
18*      5000.000    3.50                             
19        -77.256    1.50   1.80610    33.3           
20        -18.820    0.60   1.69350    53.2           
21         24.634    3.00                             
22         17.658    2.80   1.48749    70.2           
23        -34.750  (可変)                             
24        289.119    0.60   1.69680    55.5           
25         11.213    2.00   1.54072    47.2           
26         29.096   12.89                             
27        -28.990    3.30   1.76200    40.1           
28        -13.622    1.00   1.51633    64.1           
29        -63.329  (可変)                             
30          ∞       1.50   1.54400    60.0           
31          ∞       1.73                             
像面        ∞   
【００７６】
非球面データ
第17面
K  = 0.00000e+000  A 4=-8.81267e-005  A 6= 6.56231e-007 
A 8= 8.85959e-009  A10=-5.44212e-011  A12=-1.28510e-013  
第18面
K  = 0.00000e+000  A 4= 2.90566e-005  A 6= 1.12847e-006 
A 8= 8.62328e-009  
各種データ
ズーム比     3.45 
広角     中間     望遠
焦点距離      56.60   134.14   195.00  
Fナンバー      4.50     5.64     6.45  
半画角（度）  13.57     5.81     4.01  
像高          13.66    13.66    13.66  
レンズ全長   103.39   130.72   145.39  
BF            17.70    28.68    41.48  
d 5            1.35    26.25    33.75  
d10           15.08     4.27     0.80  
d23            2.00     4.25     2.10  
d29           15.00    25.98    38.78  
ズームレンズ群データ
群  始面    焦点距離  
1    1      92.51  
2    6     -21.51  
3   11      25.76  
4a  24     -32.96  
4b  27     812.18  
【００７７】
【表１】
2014219616.tif 000002
【符号の説明】
【００７８】
Ｂ１  第１レンズ群      Ｂ２  第２レンズ群      Ｂ３  第３レンズ群
Ｂ４  第４レンズ群      Ｂ３ａ  第３ａ群      Ｂ３ｂ  第３ｂ群
Ｂ３ｃ  第３ｃ群